(57)【要約】      （修正有）【課題】視覚に訴えるディスプレイ効果、取扱の容易性、さらには、組合せの自由度（アソートメントの概念）の観点に着目したまったく新しい包装容器を提案する。【解決手段】同一形状の複数の小容器２を組み合わせて全体全体として一つの包装容器を構成する容器構造であって、小容器２は、胴体部２２と、胴体部２２内の内容物を抽出するための抽出部２４と、胴体部２２同士で互いに当接するための対容器当接部２２ａと、包装容器１を構成した状態で包装容器の外周部位置に配置される内容物表示Ｎと、を有し、包装容器を構成した状態で、各小容器２の内容物表示Ｎにて、各小容器２の内容物の視認が可能、及び／又は、触覚による認識が可能に構成される、容器構造とする。【選択図】図２
2017043365.tif 000002
【特許請求の範囲】
【請求項１】
同一形状の複数の小容器を組み合わせて全体として一つの包装容器を構成する容器構造であって、
前記小容器は、
胴体部と、
前記胴体部内の内容物を抽出するための抽出部と、
前記胴体部同士で互いに当接するための対容器当接部と、
前記包装容器を構成した状態で前記包装容器の外周部位置に配置される内容物表示と、
を有し、
前記包装容器を構成した状態で、前記各小容器の前記内容物表示にて、前記各小容器の内容物の視認が可能、及び／又は、触覚による認識が可能に構成される、容器構造。
【請求項２】
前記小容器は柱状体であって、
前記小容器の柱の軸方向が平行となるよう配置され、
組み合わせてなる前記包装容器が柱状体を構成する、
ことを特徴とする請求項１に記載の容器構造。
【請求項３】
前記小容器の前記抽出部は、
フィルム状又はシート状の蓋部にて閉じられ、
蓋部を剥がして開口部を作ることで前記抽出部が開放される構成とする、
ことを特徴とする請求項１又は２に記載の容器構造。
【請求項４】
前記内容表示部は、
前記蓋部、及び／又は、前記胴体部に設けられる、
ことを特徴とする請求項１乃至３のいずれか一項に記載の容器構造。
【請求項５】
前記小容器の前記抽出部は、
前記小容器の一部を折り曲げて屈折箇所を破断させ、破断箇所に開口部を形成することで構成される、
ことを特徴とする請求項１乃至４のいずれか一項に記載の容器構造。
【請求項６】
前記各小容器の少なくとも一部が一つのケースに収容され、
前記ケースの内側表面に前記各小容器の外側表面が当接し、
前記ケースにて包装容器の形状が維持される構成とする、
ことを特徴とする請求項１乃至５のいずれか一項に記載の容器構造。
【請求項７】
前記ケースは、器として使用に供される有底筒状とする、
ことを特徴とする請求項６に記載の容器構造。
【発明の詳細な説明】
【技術分野】
【０００１】
本発明は、飲料や食品などを収容するために用いられる包装容器の容器構造に関する。
【背景技術】
【０００２】
従来、例えば、特許文献１に開示されるように、容器本体内を仕切り板により複数室に分割し、容器本体外側に各室内に収容する種類の異なる飲料の取出し口をそれぞれ設けてなる容器構造が知られている。
【０００３】
この種の複数室を設けた容器の使用の形態として、例えば、ウイスキーと水をそれぞれ各室に収容し、飲用時に適宜各室から必要な量を抽出し、両者を合せて使用することが想定されるものである。
【先行技術文献】
【特許文献】
【０００４】
【特許文献１】実開平１−１４７９７８号公報
【発明の概要】
【発明が解決しようとする課題】
【０００５】
特許文献１に開示されるような一つの容器を複数室に区分けする構造は、内部に隔壁を形成することや、抽出口を二つ設ける必要があるなど、構造が複雑になるものである。
【０００６】
また、全体として一つの容器に、多種類の内容物が収容される構造となっているため、各内容物を個別に取り扱うことができない。このため、ウイスキーと水の組合せといったような、同時に飲用されることが前提とされるものについては好適である。
【０００７】
しかしながら、飲料であれば、水、お茶、炭酸飲料、果汁飲料などの所謂清涼飲料や、ワイン、ウイスキー、ビール等のアルコール飲料など、多種に及ぶものであり、これらを組合わせた場合には、同時に飲用されるとは限らない。
【０００８】
以上の状況に鑑み、全体として一つの容器を構成しながらも、各内容物を入れた小容器を個別に取り扱えることによれば、利便性が増すはずであることを発明者は見出した。
【０００９】
例えば、飲料の例であれば、水、お茶、炭酸飲料、果汁飲料の４種類の飲料が充填された各小容器を組み合わせて一つの容器体として構成することや、４種類の異なる銘柄のワインが充填された小容器を組合せて一つの容器体として構成し、飲用時に小容器を複数人に取り分けるといったことである。
【００１０】
ここで、単に複数の小容器を用いるだけでは、個別の容器をまとめて取り扱うことと何ら変わるものではない。
【００１１】
発明者は、鋭意検討を重ね、視覚に訴えるディスプレイ効果、取扱の容易性、さらには、組合せの自由度（アソートメントの概念）の観点に着目し、本発明を完成するに至った。
【００１２】
本発明は、以上の背景に基づくものであり、まったく新しい包装容器を提案することを課題とするものである。
【課題を解決するための手段】
【００１３】
本発明の解決しようとする課題は以上の如くであり、次にこの課題を解決するための手段を説明する。
【００１４】
即ち、請求項１に記載のごとく、
同一形状の複数の小容器を組み合わせて全体として一つの包装容器を構成する容器構造であって、
前記小容器は、
胴体部と、
胴体部内の内容物を抽出するための抽出部と、
胴体部同士で互いに当接するための対容器当接部と、
前記包装容器を構成した状態で前記包装容器の外周部位置に配置される内容物表示と、
を有し、
包装容器を構成した状態で、各小容器の内容物表示にて、各小容器の内容物の視認が可能、及び／又は、触覚による認識が可能に構成される、容器構造とする。
【００１５】
また、請求項２に記載のごとく、
前記小容器は柱状体であって、
前記小容器の柱の軸方向が平行となるよう配置され、
組み合わせてなる前記包装容器が柱状体を構成する、こととする。
【００１６】
また、請求項３に記載のごとく、
前記小容器の前記抽出部は、
フィルム状又はシート状の蓋部にて閉じられ、
蓋部を剥がす或いは折り曲げて開口部を作ることで抽出部が開放される構成とする。
【００１７】
また、請求項４に記載のごとく、
前記内容表示部は、
前記蓋部、及び／又は、前記胴体部に設けられる、こととする。
【００１８】
また、請求項５に記載のごとく、
前記小容器の前記抽出部は、
前記小容器の一部を折り曲げて屈折箇所を破断させ、破断箇所に開口部を形成することで構成される、こととする。
【００１９】
また、請求項６に記載のごとく、
前記各小容器の少なくとも一部が一つのケースに収容され、
前記ケースの内側表面に前記各小容器の外側表面が当接し、
前記ケースにて包装容器の形状が維持される構成とする。
【００２０】
また、請求項７に記載のごとく、
前記ケースは、器として使用に供される有底筒状とする。
【発明の効果】
【００２１】
本発明の効果として、以下に示すような効果を奏する。
【００２２】
即ち、請求項１に記載の発明においては、
全体として一つの包装容器を構成しながらも、各小容器の内容物がディスプレイされることになり、従来の包装容器と比較して異質な外観を呈することができる。つまり、全体として一つの包装容器でありながらも、それぞれ独立したパッケージング表示がなされた小容器を有する構成が実現され、視覚に訴えるディスプレイ効果を有する包装容器が実現できる。また、小容器のアソート（組合せ）も自在であり、自分の好みで複数の小容器を自由に選択し、一つの包装容器を完成させるといったエンターテインメント性の高い販売形態を実現できる。また、各小容器は個別に取り扱うことができ、例えば、異なる種類の内容物が入った小容器を複数人で取り分けるといったことも可能となって、取扱の容易性、利便性に優れた構成が実現できる。また、点字や各種凹凸模様によって触覚により、内容物を認識することが可能な構成も実現できる。
【００２３】
また、請求項２に記載の発明においては、
全体として柱状の一つのまとまり感のある容器の様相を呈しながらも、異なる内容物が収容され、かつ、その内容物表示Ｎが周囲に現れるといった、従来の包装容器と比較して異質な外観を呈することができる。即ち、例えば、従来の角柱状の包装容器であれば、内容物が一つであり、４面のどの方向から見ても同一の内容物が収容されているといった前提のものであったが、本願発明の構成によれば、例えば、包装容器を卓上で回転させると、ワイン、ウィスキー、水、おつまみ・・・、などといった異なる内容物が次々と現れることとなって感動を与えることができると共に、どんな組合せであるかといった期待感を与えることができる。
【００２４】
また、請求項３に記載の発明においては、
これにより、蓋部の一部を剥がす、或いは、全部剥がす、といったことが可能となり、所望の形状の抽出部を出現させることができる。例えば、液体であれば一部を剥がして細口の注ぎ口を形成することや、固体であれば全部を剥がして内容物を取り出しやすくするといったことが可能となる。また、製造工程においては、ヒートシールや超音波シールによる溶着等で小容器を密閉することができ、周知の製造ラインにおける製造において適用が容易である。
【００２５】
また、請求項４に記載の発明においては、
蓋部を構成するフィルムやシートの作製の際に内容物表示を同時に印刷しておくことで本発明を実施することができ、周知の製造ラインにおける製造において適用が容易である。特に、内容物表示の種類は内容物の品種に応じて多くなることが想定されるため、フィルムやシートに内容物表示Ｎを表示することは本発明において好適である。また、胴体部に点字や各種凹凸模様にて内容物表示を設ける場合においても、胴体部を成形時に内容物表示を形成することで、容易に製造が可能となる。
【００２６】
また、請求項５に記載の発明においては、
小容器を折り曲げて開口部を構成し、開口部から内容物を取り出す構成が実現できる。
【００２７】
また、請求項６に記載の発明においては、
各小容器がばらけることなく、筒状ケースに取り囲むようにして柱状の包装容器を構成することができる。
【００２８】
また、請求項７に記載の発明においては、
別の器（うつわ）を用意することなく、ケースを飲用コップや皿として利用することができる。
【図面の簡単な説明】
【００２９】
【図１】（Ａ）は包装容器の一実施例について示す図。（Ｂ）は包装容器と有底筒状ケースの一実施例について示す図。
【図２】（Ａ）は小容器の構成について説明する図。（Ｂ）は蓋部の一部を剥がして抽出口を構成した状態について示す図。（Ｃ）は小容器の対容器当接部側の面について示す図。
【図３】（Ａ）は透明袋に収容した状態について説明する図。（Ｂ）は小容器を単品販売し顧客が自由に種別を選んでアソート（組合せ）する例について説明する図。
【図４】（Ａ）は小容器の別実施例について説明する図。（Ｂ）は包装容器の別実施例について説明する図。
【図５】（Ａ）は蓋部を剥がした状態について説明する図。（Ｂ）は開閉式の蓋を設けた包装容器の別実施例について説明する図。（Ｃ）は胴体部を折り曲げて一部を破断させ破断した部位にて抽出部を出現させる構成について説明する図。
【図６】（Ａ）は小容器の他の例について示す図。（Ｂ）は破断部を折り曲げて抽出部を出現させた状態について説明する図。（Ｃ）は一つの包装容器を形成した状態について示す図。（Ｄ）はスプーンや模造花を収容する例について示す図。
【図７】（Ａ）は小容器の他の例について示す図。（Ｂ）は小容器を有底筒状ケースに収容した状態について示す平面図。（Ｃ）は小容器の別の例について示す図。（Ｄ）は小容器を有底筒状ケースに収容した状態について示す平面図。
【発明を実施するための形態】
【００３０】
以下具体的な例を用いて本発明について説明する。
図１は、本発明の一実施例に係る包装容器の外観について示す図である。図２は、小容器２の一実施例について示す図である。
【００３１】
以下、図１及び図２を参照して説明すると、包装容器１は、水、お茶、炭酸飲料、果汁飲料などの所謂清涼飲料や、ワイン、ウイスキー、ビール等のアルコール飲料、また、スナック菓子などの各種食品や、ドレッシングやカレールーなどの各種調味料を収容する容器として用いることができる。
【００３２】
包装容器１は、複数の小容器２，２を組み合わせて構成される。各小容器２は、内容物を収容する胴体部２２と、胴体部２２の内部を外部と連通させる抽出部２４と、胴体部２２の開口部を密閉する蓋部２６と、を有して構成される。
【００３３】
本実施例の胴体部２２は、互いに９０度をなす対容器当接部２２ａ，２２ａと、対容器当接部２２ａ，２２ａの長手方向両端部にそれぞれ配置される底板部２２ｂ，２２ｂとを有し、断面略Ｖ字状に構成される。この胴体部２２は、樹脂成形品にて構成することができる。なお、胴体部２２の断面形状は、Ｖ字状に限るものではなく、Ｕ字状、楕円状、ロ字状など、各種の形状とすることも考えられる。
【００３４】
また、胴体部２２において、対容器当接部２２ａと底板部２２ｂの一連の縁部分において、矩形の開口部が形成され、この開口部にて抽出部２４が構成される。つまり、この抽出部２４を通じて、小容器２内への内容物の充填が可能となると共に、充填後の内容物の抽出、取り出しが可能となる。
【００３５】
また、抽出部２４は、可撓性を有するフィルムやシートで構成される蓋部２６によって蓋がされることで密閉される。本実施例では、蓋部２６により内部空間２２ｋが密閉された三角柱形状の容器が構成される。
【００３６】
また、胴体部２２の対容器当接部２２ａ，２２ａは、隣り合う小容器２，２同士にて互いに接触するための当接部２３として機能する。即ち、一方の対容器当接部２２ａが一方側に隣接する小容器２の対容器当接部２２ａに接触し、他方の一方の対容器当接部２２ａが他方側に隣接する小容器２の対容器当接部２２ａに接触する。
【００３７】
三角柱形状の容器を構成する本実施例においては、合計４つの小容器２においてそれぞれの対容器当接部２２ａを当接させることで、全体として一つの角柱形状の包装容器１が構成される。なお、本実施例の対容器当接部２２ａは縦方向の平面として構成したが、凹凸の有る形状として隣り合う小容器２，２の間に空間が形成されるものであってもよい。つまり、小容器２，２の隣接する全ての部位が必ずしも当接する必要は無く、一部が当接する構成であればよい。
【００３８】
また、胴体部２２の内部空間２２ｋには、飲料や食品が充填され、その後、ヒートシールや超音波シールによる溶着などで蓋部２６を胴体部２２に付着させることで、小容器２が蓋部２６にて密閉される。
【００３９】
蓋部２６は、胴体部２２から剥離可能なフィルムやシートで構成されることで、一部を剥がして抽出部２４の一部を開放して三角形状の抽出口２７を構成し、この抽出口２７から飲料を抽出させるといったことが可能となる。また、スナック菓子などの固形物が包装されている場合には、例えば、図５（Ａ）に示すように、蓋部２６の全部を剥がしつつ、胴体部２２を器（うつわ）のようにして用いることができる。なお、フィルムとは、その厚みが２５０μｍ未満のものが想定され、シートとは、その厚みが２５０μｍ以上のものが想定され、素材としては、ポリエチレンやポリプレンなどを用いることができる。
【００４０】
また、図１及び図２に示すように、蓋部２６には、剥がしやすいようにつまみ部２６ａを設けることとしてもよい。これにより、小容器２の開封操作を容易に行うことができる。
【００４１】
蓋部２６の表面には、内容物表示Ｎを設けることができ、これにより、使用者は中身を認識することができる。また、この蓋部２６は、全体として一つの包装容器１が構成された状態において、包装容器１の外周に配置されることで、各小容器２の内容物を外側から認識することができる。
【００４２】
なお、対容器当接部２２ａに内容物表示Ｎを設けるとともに、対容器当接部２２ａを外側に配置して内容物表示Ｎが外観に現れるようにすることとしてもよい。つまり、内容物表示Ｎは、必ずしも蓋部２６に設けられなくてもよい。また、対容器当接部２２ａが外側に配置される場合には、蓋部２６の側において、他の小容器と当接するための対容器当接部が設けられる構成とすることで、全体として一つの柱形状の包装容器を構成することができる。
【００４３】
また、図２（Ｃ）に示すように、例えば、胴体部２２（対容器当接部２２ａ）の表面に、点字、エンボス、溝など、各種凹凸にて形成される内容物表示Ｎａを付するようにしてもよい。図２（Ｃ）ではボトル形状の形押しや、点字を付した例を示している。このように小容器の一部に、凹凸からなる内容物表示Ｎａを設けることによれば、指で触ることにより、内容物を認識させることも可能となる。つまりは、触覚により、内容物を認識させる構成が実現できる。なお、蓋部２６にも凹凸からなる内容物表示を設けることとしてもよい。
【００４４】
各小容器２の蓋部２６の表面に配置される内容物表示Ｎは内容物によって異なる。例えば、本実施例の構成において、ウイスキー、水、ワイン、おつまみ、といった４種類の飲食良品を組み合わせた場合には、全体として一つの包装容器１の外周表面には、４つの異なる表示がなされる。表示については、文字を用いるほか、各種図柄を用いることができ、例えば、ワインボトルや、ウィスキーボトルを表示し、一目で内容が分かるものとしてもよい。
【００４５】
以上のようにして、全体として一つの包装容器１を構成しながらも、４種類の内容物がディスプレイされることになり、従来の包装容器と比較して異質な外観を呈することができる。つまり、全体として一つの包装容器１でありながらも、それぞれ独立したパッケージング表示がなされた小容器２を有する構成が実現される。
【００４６】
また、各小容器２は、有底筒状ケース３の筒内空間３ｋに差し込まれ、有底筒状ケース３の内側表面に、蓋部２６が当接される。これにより、各小容器２がばらけることなく、有底筒状ケース３に取り囲むようにして柱状の包装容器１が構成される。
【００４７】
有底筒状ケース３は、透明、又は、半透明の部材にて構成することで、ケースを通じて外部から蓋部２６の内容物表示Ｎを視認できる。
【００４８】
有底筒状ケース３の長さは、小容器２の長さ寸法の１／３、１／２などとするほか、小容器２の長さと略同一の長さとしてもよい。
【００４９】
また、有底筒状ケース３は、一側の端部が開放され、一側の端部が閉じた構成としているため、飲用コップや器（うつわ）として用いられることとしてもよい。
【００５０】
また、図３（Ａ）に示すように、販売形態の一例として、有底筒状ケース３に小容器２を詰め込んで一つの包装容器１としたものを、透明袋４に入れてセット販売することが考えられる。複数種類の内容物が一つにパッケージングされたバラエティに富むセットとして、顧客の購買意欲に訴求することができる。また、例えば、新幹線や、飛行機などの長時間移動において、少量、多品種の飲料、食品を提供することができ、様々な風味を提供することによって、長時間移動の際のストレス解消に寄与することができ、また、同行者同士で分け合ってもらうなども可能となる。なお、有底筒状ケース３は、小容器２の上側から被せるものであってもよい。
【００５１】
また、図３（Ｂ）に示すように、販売形態の一例として、小容器２を単品販売し、顧客が自由に種別を選んでアソート（組合せ）するということも可能である。この形態によれば、自分の好みで複数の小容器２を自由に選択し、一つの包装容器１を完成させるといったエンターテインメント性の高い販売形態を実現できる。
【００５２】
また、図４（Ａ）に示すように、小容器２を紙パックで構成し、小さな抽出口２８を蓋シール２９で塞ぐ形態によっても本発明を実施することができる。このほか、小容器２を抽出口のついたガラスボトルや樹脂ボトルなどで構成することや、缶容器で構成することなども考えられる。また、小容器２自体を透明容器として、内容物が直接視認できる構成としてもよい。
【００５３】
また、図４（Ｂ）に示すように、全体として円柱状の包装容器１Ａが構成されるように、円弧状周面を有する小容器２Ａを組み合わせてなる構成としてもよい。この例では、３個の小容器２Ａの組合せにより一つの包装容器１Ａが構成されることとしている。
【００５４】
また、小容器は、組み合わせて一つの纏った立体形状を構成するのであれば、特に具体的な構成に限定されるものではない。例えば、対容器当接部同士が嵌め合いにより着脱可能に一体化され、有底筒状ケースが無くても全体として一つの包装容器を構成可能とすることも考えられる。また、ゴムバンドなどの帯状部材にて小容器がばらけないように構成することとしてもよい。
【００５５】
また、内容物を抽出するための構造についても、特に限定されるものではなく、例えば、図５（Ｂ）に示すように、小容器の胴体部２２の対容器当接部２２ａに回動開閉式の蓋Ｆを設ける構成や、図５（Ｃ）に示すように、胴体部２２を折り曲げて一部を破断させ、破断した部位にて抽出部２４Ａを出現させる構成なども考えられる。この図５（Ｂ）（Ｃ）は、いずれもフィルム状の蓋部２６を剥がすことなく内容物を抽出できる形態である。
【００５６】
また、一例として、図６（Ａ）〜（Ｃ）に示す小容器２Ｘのように、断面略台形の胴体部２２を樹脂成形にて構成し、肉厚を薄くした折り曲げ破断部２２ｄを破断させることで、抽出部２４Ａを出現させる構成も考えられる。
【００５７】
なお、図６（Ａ）〜（Ｃ）に示す構成によれば、組み合わせた小容器２Ｘで囲まれる内側空間に筒穴状の空間部Ｋを形成することができる。この空間部Ｋを、図６（Ｄ）に示すように、スプーン等の容器内の内容物の取り出しに使う道具等を収容する部位として利用することや、ディスプレイとしての模造花等を収容する部位として利用することもできる。
【００５８】
また、一例として、図７（Ａ）（Ｂ）に示す小容器２Ｙのように、重ね合わせた二枚のシートの内部を高圧にして膨らませて瓶形状内部空間２２ｙを形成してなる胴体部の上部に、破断部２２ｄを設ける構成とする形態も考えられる。
【００５９】
また、別の例として、図７（Ｃ）（Ｄ）に示す小容器２Ｚのように、重ね合わせた二枚のシートの内部を高圧にして膨らませて樽形状内部空間２２ｚを形成してなる胴体部の上部に、破断部２２ｅを設ける構成とする形態も考えられる。
【００６０】
以上のようにして本発明を実施することができる。
即ち、図１及び図２の各図に示すように、
同一形状の複数の小容器２を組み合わせて全体全体として一つの包装容器１を構成する容器構造であって、
小容器２は、
胴体部２２と、
胴体部２２内の内容物を抽出するための抽出部２４と、
胴体部２２同士で互いに当接するための対容器当接部２２ａと、
包装容器１を構成した状態で包装容器１の外周部位置に配置される内容物表示Ｎと、
を有し、
包装容器１を構成した状態で、各小容器２の内容物表示Ｎにて、各小容器２の内容物の視認が可能、及び／または、触覚による認識が可能に構成される、容器構造とする。
【００６１】
これにより、全体として一つの包装容器１を構成しながらも、各小容器の内容物がディスプレイされることになり、従来の包装容器と比較して異質な外観を呈することができる。つまり、全体として一つの包装容器１でありながらも、それぞれ独立したパッケージング表示がなされた小容器２を有する構成が実現され、視覚に訴えるディスプレイ効果を有する包装容器が実現できる。また、小容器のアソート（組合せ）も自在であり、自分の好みで複数の小容器２を自由に選択し、一つの包装容器１を完成させるといったエンターテインメント性の高い販売形態を実現できる。また、各小容器は個別に取り扱うことができ、例えば、異なる種類の内容物が入った小容器を複数人で取り分けるといったことも可能となって、取扱の容易性、利便性に優れた構成が実現できる。また、点字や各種凹凸模様によって触覚により、内容物を認識することが可能な構成も実現できる。
【００６２】
また、図１（Ａ）（Ｂ）に示すように、
小容器２は柱状体であって、
小容器２の柱の軸方向（長手方向）が平行となるよう配置され、
組み合わせてなる包装容器１が柱状体を構成する、こととする。
【００６３】
これにより、全体として柱状の一つのまとまり感のある容器の様相を呈しながらも、異なる内容物が収容され、かつ、その内容物表示Ｎが周囲に現れるといった、従来の包装容器と比較して異質な外観を呈することができる。即ち、例えば、従来の角柱状の包装容器であれば、内容物が一つであり、４面のどの方向から見ても同一の内容物が収容されているといった前提のものであったが、本願発明の構成によれば、例えば、包装容器を卓上で回転させると、ワイン、ウィスキー、水、おつまみ・・・、などといった異なる内容物が次々と現れることとなって感動を与えることができると共に、どんな組合せであるかといった期待感を与えることができる。
【００６４】
また、図２（Ａ）（Ｂ）に示すように、
小容器２の抽出部２４は、
フィルム状又はシート状の蓋部２６にて閉じられ、
蓋部２６を剥がすことで抽出部２４が開放される構成とする。
【００６５】
これにより、蓋部２６の一部を剥がす、或いは、全部剥がす、といったことが可能となり、所望の形状の抽出部２４を出現させることができる。例えば、液体であれば一部を剥がして細口の注ぎ口を形成することや、固体であれば全部を剥がして内容物を取り出しやすくするといったことが可能となる。また、製造工程においては、ヒートシールや超音波シールによる溶着等で小容器を密閉することができ、周知の製造ラインにおける製造において適用が容易である。
【００６６】
また、図２（Ａ）に示すように、
内容物表示Ｎは、蓋部２６、及び／又は、胴体部２２に、内容物表示Ｎが設けられる、こととする。
【００６７】
これにより、蓋部２６を構成するフィルムやシートの作製の際に内容物表示Ｎを同時に印刷しておくことで本発明を実施することができ、周知の製造ラインにおける製造において適用が容易である。特に、内容物表示Ｎの種類は内容物の品種に応じて多くなることが想定されるため、フィルムやシートに内容物表示Ｎを表示することは本発明において好適である。また、胴体部に点字や各種凹凸模様にて内容物表示を設ける場合においても、胴体部を成形時に内容物表示を形成することで、容易に製造が可能となる。
【００６８】
また、小容器２の抽出部２４は、小容器２の一部を折り曲げて屈折箇所を破断させ、破断箇所に開口部を形成することで構成される、こととしてもよい。
【００６９】
これにより、小容器２を折り曲げて開口部を構成し、開口部から内容物を取り出す構成が実現できる。
【００７０】
また、図１（Ｂ）に示すように、
各小容器２の少なくとも一部が一つのケース３に収容され、
ケース３の内側表面に各小容器２の外側表面が当接し、
ケース３にて包装容器１の形状が維持される構成とする、こととする。
【００７１】
これにより、各小容器２がばらけることなく、筒状ケース３に取り囲むようにして柱状の包装容器１を構成することができる。
【００７２】
また、図１（Ｂ）に示すように、ケース３は、器として使用に供される有底筒状とする、こととする。
【００７３】
これにより、別の器（うつわ）を用意することなく、ケース３を飲用コップや皿として利用することができる。
【産業上の利用可能性】
【００７４】
本発明は、飲料や食品を収容する容器について、幅広く適用することができる。
【符号の説明】
【００７５】
１    包装容器
２    小容器
３    有底筒状ケース
３ｋ    筒内空間
４    透明袋
２２    胴体部
２２ａ    対容器当接部
２２ｂ    底板部
２２ｋ    内部空間
２３    当接部
２４    抽出部
２６    蓋部
【図１】
2017043365.tif 000003
【図２】
2017043365.tif 000004
【図３】
2017043365.tif 000005
【図４】
2017043365.tif 000006
【図５】
2017043365.tif 000007
【図６】
2017043365.tif 000008
【図７】
2017043365.tif 000009